(57)【要約】      （修正有）【課題】エギ本体にイカが好むアワビの柄を表現してイカの集魚効果を高め、エギ本体の表面にざらつき感も発現させてイカの釣果も高まるエギを提供する。【解決手段】両目が付いた頭部、胴部、尻尾部からなる小魚に似た形状で、かつ合成樹脂製のエギ本体と、エギ本体に設けられた錘と、エギ本体の尻尾部に連結された掛針とを備える。エギ本体の表面全域には、天然のアワビ貝の表面を模した不規則に入り込む流線的な縞柄と光沢とが表現されたアワビ柄シートが貼着され、アワビ柄シートの表面に、合成高分子ポリアミド繊維からなる６０〜１５０目、目付３５〜５５ｇ／ｍ２の上布が貼着される。【選択図】図１
0003155442.tif 000002
【実用新案登録請求の範囲】
【請求項１】
両目が付いた頭部、胴部、尻尾部からなる小魚に似た形状で、かつ合成樹脂製のエギ本体と、
該エギ本体に設けられた錘と、
前記エギ本体の尻尾部に連結された掛針とを備えたエギにおいて、
前記エギ本体の表面全域には、天然のアワビ貝の表面を模した不規則に入り込む流線的な縞柄と光沢とが表現されたアワビ柄シートが貼着され、
該アワビ柄シートの表面に、合成高分子ポリアミド繊維からなる６０〜１５０目、目付３５〜５５ｇ／ｍ２の上布が貼着されたエギ。
【請求項２】
前記両目は赤色で、かつ前記エギ本体の腹部には、弱った魚に現れる赤ラインが表示された請求項１に記載のエギ。
【考案の詳細な説明】
【技術分野】
【０００１】
この考案は、エギ、詳しくはイカ釣りに用いられる疑似餌のエギに関する。
【背景技術】
【０００２】
イカ釣りの技法の１つとして、小魚に似たイカ釣り専用のエギ（疑似餌）を使用し、リールを巻くなどして小魚の動きを真似てエギを動かし、イカを誘い釣りするエギングという釣り方が知られている。
従来のエギとしては、例えば、特許文献１に記載されたものなどが知られている。これは、小魚の形状を模したエギ本体と、エギ本体の鰓部の下に固定された錘と、エギ本体の尻尾部に連結され、多数本のバームレスフックからなる掛針とを備えている。エギ本体の表面には、エギを小魚に似せるため、迷彩塗装が施されていた。
イカ釣りに際して、イカがエギを小魚と見間違い、このエギに抱き付けば、掛針がイカの身体に引っ掛かる。
【先行技術文献】
【特許文献】
【０００３】
【特許文献１】特開２００８−０２２７０９号公報
【考案の概要】
【考案が解決しようとする課題】
【０００４】
このように、従来のエギでは、その姿形を小魚に似せるため、エギ本体の表面に小魚の迷彩塗装が施されていた。
しかしながら、近年ではエギへのイカの集魚効果が低下し、イカの釣果が落ちていた。
また、従来のエギ本体の塗装面は平滑性が高かった。これにより、イカがエギに抱き付きかけた際、エギ本体の表面に小魚の鱗のざらつき感がないため、イカが違和感を覚えて抱き付きを止め、逃走することがあった。
【０００５】
そこで、考案者は鋭意研究の結果、イカに対する集魚効果を高める対策として、アワビ貝の不規則な柄による光の反射パターンに着目した。すなわち、アワビ柄シートをエギ本体に貼着することで、エギに興味を示さないイカ（スレたイカ）の興味を促せば釣果が高まることを知見し、この考案を完成させた。
【０００６】
また、考案者は鋭意研究の結果、エギ本体の表面に合成高分子ポリアミド（ナイロン；登録商標）繊維からなる目の粗い上布を貼着すれば、エギ本体の表面に小魚の鱗のざらつき感を発現することができ、抱き付きかけたイカの逃走率を低下できることを知見し、この考案を完成させた。
【０００７】
この考案は、エギ本体の下地にイカが好む小魚の鱗の反射光を表現し、イカの集魚効果を高めることができるとともに、エギ本体の表面に実物の小魚の鱗に酷似したざらつき感を発現させ、イカの釣果を高めることができるエギを提供することを目的としている。
【課題を解決するための手段】
【０００８】
請求項１に記載の考案は、両目が付いた頭部、胴部、尻尾部からなる小魚に似た形状で、かつ合成樹脂製のエギ本体と、該エギ本体に設けられた錘と、前記エギ本体の尻尾部に連結された掛針とを備えたエギにおいて、前記エギ本体の表面全域には、天然のアワビ貝の表面を模した不規則に入り込む流線的な縞柄と光沢とが表現されたアワビ柄シートが貼着され、該アワビ柄シートの表面に、合成高分子ポリアミド繊維からなる６０〜１５０目、目付３５〜５５ｇ／ｍ２の上布が貼着されたエギである。
【０００９】
請求項１に記載の考案によれば、アワビ柄シートをエギ本体の表面全域に貼着して下地シートとし、アワビ柄シートを保護する上布として、合成高分子ポリアミド繊維からなる薄い布を採用した。そのため、入水後、上布が透けて下地のアワビ柄が鮮明に浮き上がり、イカが捕獲対象とする小魚が反転した際の鱗の反射光をリアルに表現することができる。これにより、イカの集魚効果を高めることができる。
しかも、イカは小魚に似たエギを獲物と見間違えて集まるだけでなく、好物のアワビを連想させるアワビ柄（模様）にも誘われて近寄ってくる。その結果、イカの集魚効果をさらに高めることができる。
また、アワビ柄シートの表面には、６０〜１５０目、目付３５〜５５ｇ／ｍ２の合成高分子ポリアミド繊維からなる薄い上布を貼着しているので、エギ本体の表面に小魚の鱗のざらつき感を発現させることができる。そのため、表面が平滑な従来品に比べてイカの足が滑り難く、エギにアタックしたイカが、実際の獲物との違和感を覚えて逃走する割合を低下させることができる。
【００１０】
釣り対象となるイカとしては、例えば、アオリイカ、コウイカなどを採用することができる。
エギ本体の素材としては、例えば各種の合成樹脂（ポリプロピレン、ポリエチレン、ポリプロピレンとポリエチレンとの合成素材な）を採用することができる。
エギ本体として模倣される小魚としては、例えばイワシ、アジなどを採用することができる。
【００１１】
錘が取り付けられるエギ本体の位置としては、例えば、エギ本体の頭部付近などを採用することができる。錘はエギ本体に内蔵されても、エギ本体から突設されてもよい。錘の重さ、錘の形状などは任意である。
掛針としては、例えば、多数本のバームレスフックからなるものなどを採用することができる。
掛針の取り付け位置は、例えばエギ本体の尻尾部などである。
【００１２】
アワビ柄シートとは、天然のアワビ貝の表面を模した不規則に入り込む流線的な縞柄と光沢とが表現されたシートである。アワビ柄シートは、裏面に粘着剤が塗布された貼着シートでも、そうでないシートでもよい。具体的には、中国 浙江省（せっこうしょう） 南科盟工芸社（なんかめいこうげいしゃ）製の「アバロンプリンティングシート」などを採用することができる。アワビ柄シートは光沢があるので、例えば、海水に濁りを生じている状況下でも、わずかな光を拾ってこれを反射できる。
アワビ柄シートの厚さは、約０．１μｍである。
【００１３】
上布が６０目未満では、一目が大きくなり、２号、２．５号の小さなエギには使用できない。また、１５０目を超えれば、一目が小さくなり、２号、２．５号の小さなエギに使用可能となる。
上布が目付３５ｇ／ｍ２未満では、ざらつき感が低下し、破れ易くなる。また、目付５５ｇ／ｍ２を超えれば、ざらつき感が大きくなり過ぎて破れ易くなる。
【００１４】
請求項２に記載の考案は、前記両目は赤色で、かつ前記エギ本体の腹部には、弱った魚に現れる赤ラインが表示された請求項１に記載のエギである。
【００１５】
請求項２に記載の考案によれば、エギ本体の両目を赤色とし、エギ本体の腹部に赤ラインを表示したので、イカはエギを弱った魚と勘違いし、「抱き付き」という捕獲動作を起こし易く、釣果をさらに高めることができる。
【考案の効果】
【００１６】
請求項１に記載の考案によれば、アワビ柄シートをエギ本体の表面全域に貼着し、さらにアワビ柄シートの表面に６０〜１５０目、目付３５〜５５ｇ／ｍ２の薄膜の上布を貼着したので、上布によりアワビ柄シートを保護するとともに、入水後、上布が透けて下地のアワビ柄が鮮明に浮き上がり、イカが捕獲対象とする小魚が反転した際の鱗や殻の反射光をリアルに表現することができる。そのため、イカの集魚効果を高めることができる。
また、イカは小魚の形状を模したエギを目当てに集まるだけでなく、好物のアワビの柄にも誘われて近寄るので、イカの集魚効果をさらに高めることができる。
さらにまた、アワビ柄シートの表面には、合成高分子ポリアミド繊維からなる上布を貼着したので、エギ本体の表面に小魚の鱗のざらつき感を発現させることができる。これにより、表面が平滑な従来品に比べてイカの足が滑り難く、エギに抱き付きかけたイカが、実際の獲物との違和感を覚えて逃走する割合を低下させることができる。
【００１７】
請求項２に記載の考案によれば、エギ本体の両目を赤色とし、エギ本体の腹部に赤ラインを表示したので、イカはエギを弱った魚と勘違いし、「抱き付き」という捕獲動作を起こし易い。その結果、釣果をさらに高めることができる。
【図面の簡単な説明】
【００１８】
【図１】この考案の実施例１に係るエギの正面図である。
【図２】図１のＳ２−Ｓ２断面図である。
【考案を実施するための形態】
【００１９】
以下、この考案の実施例を具体的に説明する。
【実施例】
【００２０】
図１において、１０はこの考案の実施例１に係るエギで、このエギ１０は、イワシ（小魚）に似た形状のエギ本体１１と、エギ本体１１の鰓部の下に固定された板形状の錘１２と、エギ本体１１の尻尾部に連結され、多数本のバームレスフックからなる掛針１３とを備えている。
エギ本体１１は、成型材料としてポリプロピレンを採用し、射出成形されたものである。エギ本体１１の頭部の先端には、ラインアイ１４が固定されている。また、エギ本体１１の頭部の両側には一対の赤色の目１５が接着されている。エギ本体１１の両側の鰓部には、一対の羽根１６が植設されている。
【００２１】
また、図１および図２に示すように、エギ本体１１の表面全域には、アワビ柄シート１７が貼着されている。アワビ柄シート１７としては、中国 浙江省 南科盟工芸社製のアバロンプリンティングシートが使用されている。これは、天然のアワビ貝の表面を模した不規則に入り込む流線的な縞柄と光沢とが表現されたアワビ柄のシートである。
アワビ柄シート１７の表面には、イワシの迷彩塗装が施される。しかも、エギ本体１１の腹部には、弱ったイワシに現れる赤ライン１８が表示されている。
イワシの迷彩塗装が施されたアワビ柄シート１７の表面には、合成高分子ポリアミド繊維からなり、６０〜１５０目、目付３５〜５５ｇ／ｍ２の上布１９が貼着されている。
【００２２】
エギ１０の使用時には、まず、ラインアイ１４に釣糸を連結し、ロッドおよび釣用リールを使用してエギ１０をキャストし、リールにより釣糸を巻き取ることで、エギ１０は引き寄せられる。なお、釣人がロッドの操作およびリールの巻き取りの際に任意の動作を行うことで、エギ１０は、さらにイワシの泳ぎに似た動きをする。エギ１０にイカがアタックしたとき、掛針１３がイカの身体に引っ掛かる。このとき、釣人はロッドなどを操作して釣糸をある程度強く引く。これにより、掛針１３をイカに確実にフッキングすることができる。
【００２３】
このように、アワビ柄シート１７をエギ本体１１の表面に貼着し、さらにアワビ柄シート１７の表面に、合成高分子ポリアミド繊維からなる６０〜１５０目、目付３５〜５５ｇ／ｍ２の薄膜の上布１９を貼着したので、上布１９によりアワビ柄シート１７を保護するとともに、入水後、上布１９が透けて下地のアワビ柄が鮮明に浮き上がり、イカが捕獲対象とする小魚が反転した際の鱗の反射光をリアルに表現することができる。そのため、イカの集魚効果を高めることができる。
また、アワビ柄シート１７をエギ本体１１の表面全体に貼着したので、イカはイワシの形状の物体を目当てに集まるだけでなく、好物のアワビの柄にも誘われて近寄る。その結果、イカの集魚効果をさらに高めることができる。
また、アワビ柄シート１７の表面には、合成高分子ポリアミド繊維からなる薄膜の上布１９が貼着されているので、エギ本体１１の表面にイワシの鱗のざらつき感を発現させることができる。これにより、表面が平滑な従来品に比べてイカの足が滑り難く、エギ１０に抱き付きかけたイカが、実際の獲物との違和感を覚えて逃走する割合を低下させることができる。
【００２４】
エギ本体１１の両目１５を赤色とし、エギ本体１１の腹部に赤ライン１８を表示したので、イカはエギ１０を弱ったイワシと見間違い、「抱き付き」という捕獲動作を起こし易い。その結果、釣果をさらに高めることができる。
【産業上の利用可能性】
【００２５】
この考案は、ミズイカ（アオリイカ）、コウイカ、ヤリイカ、スルメイカを釣るエギとして有用である。
【符号の説明】
【００２６】
１０  エギ、
１１  エギ本体、
１２  錘、
１３  掛針、
１５  目
１７  アワビ柄シート、
１８  赤ライン、
１９  上布。
【図１】
0003155442.tif 000003
【図２】
0003155442.tif 000004